(57)【要約】【課題】幼児、老人及び病人用ポータブルトイレの使用後の尿や便などの廃棄、ポータブルトイレの容器の清掃等を簡便にでき、ポータブルトイレに安定的に取り付け可能な排便シートを提供する。【解決手段】本排便シートは、平面シート部２の略中央部に設けられた開口部が略楕円形状を成し、略半球形状を呈する受け部３を備えたものである。ポータブルトイレの容器１０に本排便シートを受け部３に収納し、ポータブルトイレ本体２０の周縁部２１と着脱式の便座３０の間に、本排便シートの平面シート部２を挟み込むようにする。便座３０の突部（３１ａ〜３１ｄ）が、本体２０の周縁部２１の穴部（２２ａ〜２２ｄ）に挿入されることで、本排便シートは、ずれが生じることなく安定的に確実に固定できる。【選択図】図４
2010264109.tif 000002
【特許請求の範囲】
【請求項１】
平面シート部２の略中央部に設けられた開口部が略楕円形状または円形状を成し、略逆台形錐形状または略半球形状を呈する受け部３を備えた排便シート。
【請求項２】
前記平面シート部２の縁部形状が、長方形状または略楕円形状である請求項１に記載の排便シート。
【請求項３】
前記開口部の周縁部に設けられた紐孔に紐が挿通され、紐を引っ張ることにより開口部が絞られることを特徴とする請求項１に記載の排便シート。
【発明の詳細な説明】
【技術分野】
【０００１】
本発明は、ポータブルトイレに使用する排便シートに関するものである。
【背景技術】
【０００２】
幼児や老人、病人用のポータブルトイレにおいては、使用の都度、ポータブルトイレの便や尿を捨て、洗剤やタワシを使って洗浄し、水気を拭き取ってかわかすといったように、親や世話人や介護人が手間と時間をかけて、ポータブルトイレの清掃・後始末をしている。
また、赤ちゃんの時期はオシメを用いるが、オシメを外す頃からポータブルトイレを用いて、母親の指導の下、一人で排便のトレーニングを行う。また、老人や病人もトイレ施設まで移動が困難な場合に、居室にポータブルトイレを設置して排便を行う。
このように、ポータブルトイレの使用後の尿や便の廃棄ならびにポータブルトイレ自体の清掃作業が、世話人等の大きな負担となっている。
【０００３】
従来から、かかる負担を軽減すべく、ポータブルトイレの使用の際に排便シートが用いられている。従来の排便シートの場合、ペット用の排便シートの如く、単純に長方形の形状を呈したものが殆どである。しかしながら、ポータブルトイレ自体の形状は、ペット用トイレとは異なり底深の形状を呈している。また、加えて、ポータブルトイレ自体の形状が長方形ではなく、四隅が湾曲した形状を呈している。そのため、長方形の形状を呈する排便シートを、ポータブルトイレに使用する場合、ポータブルトイレ自体の大きさよりも、縦・横の長さが大きいサイズの排便シートを使用し、ポータブルトイレの容器の底と側面に排便シートを沿わして、排便シートの四隅あるいは辺の一部を粘着テープなどでポータブルトイレに取り付けるようにしている。
【０００４】
また、ある種の排便シートの場合、排便シートの輪郭を形成する縁部にゴムが設けられており、ポータブルトイレに取り付ける場合に、そのゴムをポータブルトイレの容器の開口部の縁に取り付けられるようにしている（例えば、特許文献１を参照。）。
【０００５】
また、ある種の排便シートの場合、シート自体の形状がバケツ型の形状を呈しており、その側面の四方にギャザーが設けられ、開口部の大きさを調整できるものもある（例えば、特許文献２，３を参照。）。
【先行技術文献】
【特許文献】
【０００６】
【特許文献１】実開平５−９２６１号公報
【特許文献２】特開２００７−２１５９７９号公報
【特許文献３】特開平１０−２４８７５３号公報
【発明の概要】
【発明が解決しようとする課題】
【０００７】
しかしながら、長方形の形状を呈する排便シートの場合、ポータブルトイレの容器に取り付ける作業が煩雑であり、世話人等の負担となっている。また、取り付けが不十分である場合、尿や便が排便シートからこぼれてしまうこととなり、かかる事態になった場合は、ポータブルトイレ自体を清掃しなければならず世話人の負担軽減とならない。さらに、長方形の形状を呈する排便シートの場合、尿や便を廃棄するために排便シートで包んで運ぶ際は、通常、四隅を上方に持ち上げてシート自体を袋状にするが、この作業が不十分である場合、尿や便が排便シートからこぼれてしまう事態が生じる。
また、袋状の形状を呈する排便シートの場合、その構造が複雑であり、また、ポータブルトイレに安定的に取り付けるためには粘着テープ等が必要となる。
【０００８】
上記状況に鑑みて、本発明は、幼児、老人及び病人用などのポータブルトイレの使用後の尿や便などの廃棄、ポータブルトイレ自体の清掃を簡便にし、世話人等の負担を軽減できる排便シートを提供することを目的とする。
また、ポータブルトイレに安定的に取り付け可能な排便シートを提供することを目的とする。
【課題を解決するための手段】
【０００９】
本発明は、実際に幼児を育てている女性によりなされたものであり、様々な試行錯誤を得て試作品を作り、実際に試用しながら完成されたものである。
【００１０】
上記目的を達成すべく、本発明の排便シートは、平面シート部の略中央部に、開口部が略楕円形状もしくは円形状を成し、略逆台形錐形状もしくは略半球形状を呈する受け部を備えた構成とされる。
本発明の排便シートの特徴は、従来の排便シートと異なり、上記の平面シート部と受け部の両方が存在することである。受け部が形成されているため、ポータブルトイレの使用後の尿や便を自然に包み込むことが可能となり、かつ、平面シート部が形成されているため、ポータブルトイレへの装着が確実に行える。
【００１１】
また、上記の排便シートの平面シート部の縁部形状は、長方形状又は略楕円形状とされることが好ましい態様である。従来の排便シートにおいては、袋形状のものが存在するが、縁部がないために、ポータブルトイレの装着時に粘着テープやゴム紐でポータブルトイレの容器周囲に固定させる必要があった。
本発明では、上記のように平面シート部が存在するため、後述する実施例で説明するように、安定的にポータブルトイレに装着できる。かかる平面シート部の縁部形状は、長方形状又は略楕円形状とされることで、無理なく、ポータブルトイレの本体縁部に被せることができる。これは、ポータブルトイレの本体縁部の形状が一般的に長方形状又は略楕円形状であるからである。
【００１２】
また、上記の排便シートの開口部の周縁部に設けられた紐孔に紐が挿通され、紐を引っ張ることにより開口部が絞られる構成とされることが好ましい態様である。
本発明の第１の目的は、ポータブルトイレの使用後の尿や便などの廃棄、ポータブルトイレ自体の清掃を簡便にし、世話人等の負担を軽減できる排便シートを提供することである。上述したように、受け部が設けることで、効率よく尿や便などの排出物を収納でき、受け部の開口部を平面シート部の束ねることにより、開口部の蓋の機能を果たすことが可能となる。
それに加えて、排便シートの開口部の周縁部に設けられた紐孔に紐が挿通され、紐を引っ張ることにより開口部が絞られる構成とすることにより、より確実に排出物を収納でき、世話人等の負担を更に軽減できることになる。
【発明の効果】
【００１３】
本発明の排便シートによれば、受け部が形成されていることから、ポータブルトイレの使用後の尿や便を自然に包み込むことが可能となるといった効果を有する。また、平面シート部が形成されていることから、特段、粘着材を用いることなく、ポータブルトイレへの装着が確実に行えるといった効果を有する。
【図面の簡単な説明】
【００１４】
【図１】実施形態１の排便シートの斜視図
【図２】実施形態２の排便シートの斜視図
【図３】本発明の排便シートの側面図
【図４】本発明の排便シートの使用説明図
【発明を実施するための最良の形態】
【００１５】
以下、本発明の実施形態について、図面を参照しながら詳細に説明していく。なお、本発明の範囲は、以下の実施例や図示例に限定されるものではなく、幾多の変更及び変形が可能である。
【実施例１】
【００１６】
図１は、本発明に係る排便シートの一実施形態を示す斜視図である（実施形態１）。図１に示すように、実施形態１の排便シートは、平面シート部２の略中央部に設けられた開口部が楕円形状を成し、略半球形状を呈する受け部３を備えたものである。この平面シート部２の縁部形状は、楕円形状を呈している。
さらに、受け部３の開口部の周縁部には、ギャザー部４が形成されている。かかるギャザー部４は、ポータブルトイレの容器の開口部の形状に合うように、平面シート部２の開口部の大きさを調整するためのものである。
本排便シートは、平面シート部２の上側が吸水性シート層で下側が不透水性シート層となっており、また、受け部３の内側が吸水性シート層で外側が不透水性シート層となっている。
【００１７】
また、図２は、本発明に係る排便シートの他の実施形態を示す斜視図である（実施形態２）。図２に示すように、実施形態２の排便シートは、実施形態１の排便シートと同様に、平面シート部２の略中央部に設けられた開口部が楕円形状を成し、略半球形状を呈する受け部３を備えたものであるが、実施形態２の場合、平面シート部２の縁部形状は、長方形の形状を呈している。受け部３の開口部の周縁部にはギャザー部４が形成されている点、排便シートの材質は上述の実施形態１の排便シートと同様である。
【００１８】
これらの排便シートの断面図を図３に示す。図３の断面図に示されるように、本排便シートの受け部３の断面形状は、ポータブルトイレの容器に嵌るように緩やかな逆テーパー形状となっている。
【００１９】
次に、本排便シートの使用方法について、図４を参照しながら説明する。図４は、実施形態１の排便シートを便座が脱着可能なポータブルトイレに装着する様子を示したものである。実施形態１の排便シートは、上述したように、平面シート部２の略中央部に設けられた開口部が略楕円形状を成し、略半球形状を呈する受け部３を備えたものである。
【００２０】
本排便シートの使用手順は、次の通りである。先ず、ポータブルトイレ本体２０に、ポータブルトイレ容器１０をセットする（図４中の矢印（１）を参照）。次に、本排便シート１の受け部３をポータブルトイレの容器１０の内側に収納セットする（図４中の矢印（２）を参照）。その際、本排便シート１の平面シート部２がポータブルトイレ本体２０の周縁部２１の上に垂れるようことになる。そして、最後に、ポータブルトイレの便座３０を上からセットする。このようにすることで、ポータブルトイレ本体２０の周縁部２１と着脱式の便座３０の間に、本排便シートの平面シート部２が挟み込まれるようになる。ポータブルトイレの便座３０の突部（３１ａ〜３１ｄ）は、ポータブルトイレ本体２０の周縁部２１の穴部（２２ａ〜２２ｄ）に挿入されることになるので、本排便シート１は、ずれが生じることなく安定的に確実に固定されるのである。
【産業上の利用可能性】
【００２１】
本発明は、ポータブルトイレの使用の際の排便シートとして有用である。
【符号の説明】
【００２２】
１  排便シート
２  平面シート部
３  受け部
４  ギャザー部
１０  ポータブルトイレ容器
２０  ポータブルトイレ本体
３０  ポータブルトイレ便座
【図１】
2010264109.tif 000003
【図２】
2010264109.tif 000004
【図３】
2010264109.tif 000005
【図４】
2010264109.tif 000006